(57)【要約】【課題】給紙カセットに並列に収容された各用紙を給紙させて、複数の用紙に画像形成を行うにあたり、画像形成を行う数が各用紙において異なる場合に、給紙された各用紙に形成されたトナー像を加熱定着させる定着装置の一部が過剰に加熱されるのを抑制する。【解決手段】給紙カセット20に並列に収容された各用紙Sa,Sbを給紙ローラ24a,24bにより給紙させて画像形成を行うにあたり、給紙カセットに並列に収容された各用紙に対する画像形成を指示する画像形成指示手段30と、この画像形成指示手段によって指示された各用紙に対する画像形成枚数に対応して給紙ローラによる給紙タイミングを制御する給紙制御手段31とを設けた。【選択図】図４
2012173307.tif 000002
【特許請求の範囲】
【請求項１】
給紙方向と直交する方向に複数の用紙を並列に収容できる給紙カセットから用紙を給紙ローラにより給紙させて画像形成を行う画像形成装置において、給紙カセットに並列に収容された各用紙に対する画像形成を指示する画像形成指示手段と、この画像形成指示手段によって指示された各用紙に対する画像形成枚数に対応して給紙ローラによる給紙タイミングを制御する給紙制御手段とが設けられてなることを特徴とする画像形成装置。
【請求項２】
請求項１に記載の画像形成装置において、上記の画像形成指示手段により給紙カセットに収容された複数の用紙に対して指示された画像形成枚数が異なる場合に、上記の給紙制御手段により、画像形成枚数の少ない用紙を給紙させる給紙タイミングを遅くすることを特徴とする画像形成装置。
【請求項３】
請求項２に記載の画像形成装置において、画像形成指示手段により指示された画像形成枚数が少ない用紙の最初の給紙タイミングと最終の給紙タイミングとが、画像形成指示手段により指示された画像形成枚数が多い用紙の最初の給紙タイミングと最終の給紙タイミングとに一致するようにして、上記の給紙制御手段により画像形成枚数の少ない用紙を給紙させる給紙タイミングを遅くすることを特徴とする画像形成装置。
【請求項４】
請求項２又は請求項３に記載の画像形成装置において、上記の給紙制御手段により画像形成枚数の少ない用紙を給紙させる給紙タイミングを遅くするあたり、画像形成枚数の少ない用紙を給紙させる給紙タイミングを均等に遅くすることを特徴とする画像形成装置。
【請求項５】
請求項２又は請求項３に記載の画像形成装置において、上記の給紙制御手段により画像形成枚数の少ない用紙を給紙させる給紙タイミングを遅くするあたり、画像形成枚数の少ない用紙の給紙タイミングを画像形成枚数が多い用紙の給紙タイミングに合わせる一方、画像形成枚数が多い用紙における給紙タイミングの一部において、画像形成枚数の少ない用紙の給紙を行わないようにすることを特徴とする画像形成装置。
【請求項６】
請求項１に記載の画像形成装置において、上記の給紙カセットに並列に収容された各用紙の大きさと、上記の画像形成指示手段によって指示された各用紙に対する画像形成枚数とに対応して、上記の給紙制御手段により各用紙を給紙させる給紙タイミングを制御することを特徴とする画像形成装置。
【発明の詳細な説明】
【技術分野】
【０００１】
本発明は、複写機，プリンタ，ファクシミリ及びこれらの複合機等の電子写真方式を用いた画像形成装置に関するものである。特に、給紙方向と直交する方向に複数の用紙を並列に収容できる給紙カセットから用紙を給紙ローラにより給紙させて画像形成を行う画像形成装置において、並列に収容された各用紙に対する画像形成枚数が異なる場合に、給紙された各用紙に形成されたトナー像を加熱定着させる定着装置の一部が過剰に加熱されるのを適切に防止できるようにした点に特徴をするものである。
【背景技術】
【０００２】
従来から、複写機，プリンタ，ファクシミリ及びこれらの複合機等の電子写真方式を用いた画像形成装置においては、給紙カセットから用紙を給紙ローラにより給紙させ、給紙された用紙にトナー像を転写させた後、このように転写されたトナー像を、加熱ローラ等を用いた定着装置により用紙に定着させて、画像形成を行うようにしている。
【０００３】
ここで、従来の画像形成装置においては、給紙カセットに様々なサイズの用紙を収容させて給紙させるようにしており、サイズの大きな用紙に画像形成を行う場合には、この加熱ローラ等を用いた定着装置によってトナー像を用紙に定着させる際に、加熱ローラが用紙と広い幅で接触して、加熱ローラの熱が用紙に伝わり、加熱ローラが過剰に加熱されることが防止される。しかし、サイズの小さな用紙に画像形成を行う場合には、用紙と接触する加熱ローラの部分が少なくなり、用紙と接触していない部分において加熱ローラが過剰に加熱されるという問題があった。
【０００４】
また、近年においては、画像形成装置における画像形成処理を高速化させるため、サイズの小さな用紙に画像形成を行う場合には、特許文献１等に示されるように、給紙カセットに複数の用紙を並列に収容させ、各用紙を給紙させて、複数の用紙に同時に画像形成を行うようにしたものが提案されている。
【０００５】
しかし、このように給紙カセットに並列に収容された各用紙を給紙させて、複数の用紙に同時に画像形成を行うにあたり、一方の用紙に対して画像形成を行う枚数と、他方の用紙に対して画像形成を行う枚数とが異なると、画像形成を行う枚数が少ない用紙における画像形成が終了した後においても、画像形成を行う枚数が多い用紙だけを給紙させて画像形成を行うことになり、画像形成処理を十分に高速化させることができないと共に、画像形成を行う枚数が多い用紙に対応した加熱ローラの部分だけが用紙と接触し、この用紙と接触していない加熱ローラの部分が過剰に加熱されるという問題があった。
【０００６】
そして、特許文献２に示されるものにおいては、上記のように給紙カセットに並列に収容された各用紙を給紙させて、複数の用紙に同時に画像形成を行うにあたり、画像形成処理をさらに高速化させるため、画像形成を行う枚数が多い用紙に対する画像形成を、画像形成を行う枚数が少ない用紙に振り替えて、各用紙における画像形成枚数の差を少なくするようにしたものが提案されている。
【０００７】
しかし、このように画像形成を行う枚数が多い用紙に対する画像形成を、画像形成を行う枚数が少ない用紙に振り替えた場合、画像形成を行う枚数が少ない用紙に対しては異なった内容の画像形成が行われることになり、このように異なった内容の画像形成が行われた用紙を整理して、それぞれ対応する画像が形成された用紙に分別することは面倒であり、またこのような分別を自動的に行うためには、別の排紙処理装置が必要になってコストが高くつくという問題があった。
【０００８】
さらに、上記のように画像形成を行う枚数が多い用紙に対する画像形成を、画像形成を行う枚数が少ない用紙に振り替える場合、それぞれの用紙のサイズが一致していることが必要になり、これらの用紙のサイズが異なる場合には、画像形成を振り返ることはできなかった。このため、用紙のサイズが異なる場合には、依然として、画像形成を行う枚数が少ない用紙における画像形成が終了した後においても、画像形成を行う枚数が多い用紙だけを給紙させて画像形成を行うことになり、画像形成を行う枚数が多い用紙に対応した加熱ローラの部分だけが用紙と接触し、この用紙と接触していない加熱ローラの部分が過剰に加熱されるという問題があった。
【先行技術文献】
【特許文献】
【０００９】
【特許文献１】特開平２−２４６７３号公報
【特許文献２】特開平１０−２０５８７号公報
【発明の開示】
【発明が解決しようとする課題】
【００１０】
本発明は、給紙方向と直交する方向に複数の用紙を並列に収容できる給紙カセットから用紙を給紙ローラにより給紙させて画像形成を行う画像形成装置において、給紙カセットに並列に収容された各用紙を給紙させて、複数の用紙に同時に画像形成を行う場合における上記のような様々な問題を解決することを課題とするものである。
【００１１】
すなわち、本発明においては、給紙カセットに並列に収容された各用紙に画像形成を行うにあたり、画像形成を行う枚数が各用紙において異なる場合に、給紙された各用紙に形成されたトナー像を加熱定着させる定着装置の一部が過剰に加熱されるのを抑制すると共に、各用紙に形成する画像が異なる場合においても、画像が形成された各用紙を整理して、それぞれ対応する画像が形成された用紙に分別する必要がなく、さらに各用紙のサイズが異なる場合にも、定着装置の一部が過剰に加熱されるということがないようにすることを課題とするものである。
【課題を解決するための手段】
【００１２】
本発明においては、上記のような課題を解決するため、給紙方向と直交する方向に複数の用紙を並列に収容できる給紙カセットから用紙を給紙ローラにより給紙させて画像形成を行う画像形成装置において、給紙カセットに並列に収容された各用紙に対する画像形成を指示する画像形成指示手段と、この画像形成指示手段によって指示された各用紙に対する画像形成枚数に対応して給紙ローラによる給紙タイミングを制御する給紙制御手段とを設けるようにした。
【００１３】
そして、上記の画像形成指示手段によって給紙カセットに収容された複数の用紙に対して指示された画像形成枚数が異なる場合には、上記の給紙制御手段により、画像形成枚数の少ない用紙を給紙させる給紙タイミングを遅くするようにした。
【００１４】
このように画像形成枚数の少ない用紙を給紙させる給紙タイミングを遅くすると、画像形成枚数の多い用紙が、画像形成枚数の少ない用紙より早いタイミングで給紙されるようになり、最終的に給紙される用紙の給紙タイミングの差が、画像形成枚数の少ない用紙と画像形成枚数の多い用紙とにおいて少なくなる。
【００１５】
ここで、上記のように給紙制御手段により画像形成枚数の少ない用紙を給紙させる給紙タイミングを遅くするにあたっては、画像形成指示手段により指示された画像形成枚数が少ない用紙の最初の給紙タイミングと最終の給紙タイミングとが、画像形成指示手段により指示された画像形成枚数が多い用紙の最初の給紙タイミングと最終の給紙タイミングとに一致するようにして、画像形成枚数の少ない用紙を給紙させる給紙タイミングを遅くすることが好ましい。
【００１６】
また、上記のように給紙制御手段により画像形成枚数の少ない用紙を給紙させる給紙タイミングを遅くするにあたっては、画像形成枚数の少ない用紙を給紙させる給紙タイミングを均等に遅くし、或いは、画像形成枚数の少ない用紙の給紙タイミングを画像形成枚数が多い用紙の給紙タイミングに合わせる一方、画像形成枚数が多い用紙における給紙タイミングの一部において、画像形成枚数の少ない用紙の給紙を行わないようにすることができる。
【００１７】
また、本発明の画像形成装置においては、給紙カセットに並列に収容された各用紙の大きさが異なる場合に、この給紙カセットに並列に収容された各用紙の大きさと、上記の画像形成指示手段によって指示された各用紙に対する画像形成枚数とに対応して、上記の給紙制御手段により各用紙を給紙させる給紙タイミングを制御することができる。
【発明の効果】
【００１８】
本発明の画像形成装置においては、上記のように給紙カセットに並列に収容された各用紙に対して画像形成指示手段により画像形成を指示するにあたり、この画像形成指示手段によって給紙カセットに収容された各用紙に対して指示する画像形成枚数が異なる場合、給紙制御手段により画像形成枚数の少ない用紙を給紙させる給紙タイミングを遅くするようにしたため、画像形成枚数の多い用紙が画像形成枚数の少ない用紙より早いタイミングで給紙され、画像形成枚数の少ない用紙と画像形成枚数の多い用紙とにおいて、最終的に給紙される用紙の給紙タイミングの差が少なくなる。
【００１９】
この結果、本発明の画像形成装置においては、従来のように画像形成枚数が少ない用紙における画像形成が終了した後においても、画像形成枚数が多い用紙だけが給紙されて画像形成が続けて行われることが少なくなり、各用紙に形成されたトナー像を加熱定着させる定着装置において、画像形成を行う枚数が多い用紙に対応した定着装置の部分における熱だけが用紙に奪われ、画像形成を行う数が少ない用紙に対応した定着装置の部分が過剰に加熱されるのが抑制されるようになる。
【００２０】
また、本発明の画像形成装置においては、上記のように給紙制御手段により画像形成枚数の少ない用紙を給紙させる給紙タイミングを遅くするだけであるため、画像形成枚数が多い用紙に対して行う画像形成を、画像形成を行う枚数が少ない用紙に振り替えて行うようにした前記の特許文献２に示されるもののように、画像形成枚数が少ない用紙に対して、異なった内容の画像形成が行われるということがなく、異なった内容の画像形成が行われた用紙を整理したりするという面倒な作業が不要になると共に、給紙させる各用紙のサイズが異なっている場合においても、定着装置の一部が過剰に加熱されるのを適切に抑制できるようになる。
【００２１】
また、本発明の画像形成装置において、上記のように給紙制御手段により画像形成枚数の少ない用紙を給紙させる給紙タイミングを遅くするにあたり、画像形成枚数が少ない用紙の最初の給紙タイミングと最終の給紙タイミングとを、画像形成指示手段により指示された画像形成枚数が多い用紙の最初の給紙タイミングと最終の給紙タイミングとに一致させるようにすると、画像形成を行う数が多い用紙だけが給紙されて画像形成が続けて行われるのが一層防止され、画像形成を行う数が少ない用紙に対応した部分において、定着装置が過剰に加熱されるのがより一層抑制されるようになる。
【図面の簡単な説明】
【００２２】
【図１】本発明の一実施形態に係る画像形成装置において、給紙カセットから用紙を給紙ローラにより給紙させて画像形成を行う状態を示した概略説明図である。
【図２】同実施形態に係る画像形成装置において、給紙カセットにおける押上板の上に同じサイズになった２つの用紙を並列に積載させた状態を示した概略斜視図である。
【図３】同実施形態に係る画像形成装置において、給紙カセットにおける押上板の上に同じサイズの２つの用紙を並列に積載させて、各用紙を給紙ローラにより給紙させる状態を示した概略平面図である。
【図４】同実施形態に係る画像形成装置において、画像形成指示手段から給紙制御手段に出力された各用紙に対する画像形成枚数に基づき、給紙制御手段により第１給紙ローラを回転させる第１回転装置と、第２給紙ローラを回転させる第２回転装置とを制御する構成を示したブロック図である。
【図５】同実施形態に係る画像形成装置において、画像形成枚数が少ない用紙の最初の給紙タイミングと最終の給紙タイミングとを、画像形成指示手段により指示された画像形成枚数が多い用紙の最初の給紙タイミングと最終の給紙タイミングとに一致させるようにして、画像形成枚数の少ない用紙を給紙させる給紙タイミングを均等に遅くした例を示した概略説明図である。
【図６】同実施形態に係る画像形成装置において、画像形成枚数が多い用紙の給紙タイミングに、画像形成枚数の少ない用紙の給紙タイミングを一致させると共に、画像形成枚数の少ない用紙の一部について給紙を行わないようにして、画像形成枚数が少ない用紙の最初の給紙タイミングと最終の給紙タイミングとを、画像形成指示手段により指示された画像形成枚数が多い用紙の最初の給紙タイミングと最終の給紙タイミングとに一致させる例を示した概略説明図である。
【図７】同実施形態に係る画像形成装置において、給紙カセットにおける押上板の上にサイズの異なる２つの用紙を並列に積載させて、各用紙を給紙ローラにより給紙させる状態を示した概略平面図である。
【発明を実施するための最良の形態】
【００２３】
次に、この発明の実施形態に係る画像形成装置を添付図面に基づいて具体的に説明する。なお、本発明に係る画像形成装置は、下記の実施形態に示したものに限定されず、その要旨を変更しない範囲において適宜変更して実施できるものである。
【００２４】
この実施形態に係る画像形成装置においては、図１に示すように、４つの感光体ドラム１０に対応させて、現像剤を収容させた４つの現像装置１３を設け、各現像装置１３においては、それぞれの現像剤におけるトナーの色彩を異ならせて、黒色，黄色，マゼンダ色，シアン色のトナーを用いている。
【００２５】
ここで、この画像形成装置においては、上記の各感光体ドラム１０を回転させて、各感光体ドラム１０の表面をそれぞれ帯電装置１１によって帯電させ、このように帯電された各感光体ドラム１０に対して、それぞれ潜像形成装置１２により画像形成情報に従った露光を行い、各感光体ドラム１０の表面にそれぞれ静電潜像を形成するようにしている。
【００２６】
そして、このように静電潜像が形成された各感光体ドラム１０に対して、それぞれ対応する現像装置１３から所定の色彩のトナーを各感光体ドラム１０の静電潜像に供給して現像を行い、各感光体ドラム１０の表面にそれぞれの色彩のトナー像を形成するようにしている。
【００２７】
次いで、上記のように各感光体ドラム１０に形成された各色彩のトナー像を、複数の回転ローラ１４ａに架け渡されて回転駆動される無端状の中間転写ベルト１４の表面に、上記の各感光体ドラム１０と対向して設けられた各一次転写ローラ１５により順々に一次転写させて、この中間転写ベルト１４の表面に各色彩のトナー像が合成されたトナー像を形成するようにしている。一方、上記の中間転写ベルト１４に転写されずに各感光体ドラム１０の表面に残留しているトナー等を、それぞれ第１のクリーニング装置１６により、各感光体ドラム１０の表面から除去するようにしている。
【００２８】
そして、上記のようにして中間転写ベルト１４の上に形成されたトナー像を、この中間転写ベルト１４により二次転写ローラ１７と対向する位置に導くようにしている。
【００２９】
一方、この画像形成装置の下部に設けられた給紙カセット２０に収容された用紙Ｓを、バネ２１によって付勢された押上板２２により押し上げ、このように押し上げられた用紙Ｓをピックアップローラ２３により給紙ローラ２４と捌きローラ２５との間に導き、この給紙ローラ２４と捌きローラ２５との間において用紙Ｓを捌いて、給紙ローラ２４により用紙Ｓをタイミングローラ２８に送るようにしている。
【００３０】
そして、このタイミングローラ２８により、中間転写ベルト１４の上に形成されたトナー像が二次転写ローラ１７と対向する位置に導かれるタイミングと同期するようにして、用紙Ｓを中間転写ベルト１４と二次転写ローラ１７との間に導き、中間転写ベルト１４の上に形成されたトナー像を上記の二次転写ローラ１６により用紙Ｓに転写させるようにしている。そして、用紙Ｓに転写されずに上記の中間転写ベルト１４に残ったトナー等を、第２のクリーニング装置１９によって中間転写ベルト１４から除去させるようにしている。
【００３１】
また、上記のようにトナー像が転写された用紙Ｓを加熱ローラ１８ａと加圧ローラ１８ｂとが設けられた定着装置１８に導き、この加熱ローラ１８ａと加圧ローラ１８ｂとの間において、用紙Ｓに転写された上記のトナー像を用紙Ｓに加熱定着させた後、このようにトナー像が定着された用紙Ｓを排紙させるようにしている。
【００３２】
ここで、この実施形態に係る画像形成装置においては、図２及び図３に示すように、上記の給紙カセット２０内において用紙Ｓを押し上げる２つの押上板２２ａ，２２ｂを給紙方向と直交する方向に並列に設け、この２つの押上板２２ａ，２２ｂの上に、同じサイズになった２つの用紙Ｓａ，Ｓｂをサイド規制板２６と後端規制ガイド２７とにより規制させて並列に積載させ、各用紙Ｓａ，Ｓｂが積載された各押上板２２ａ，２２ｂを、それぞれバネ２１ａ，２１ｂによって押し上げるようにすると共に、それぞれの用紙Ｓａ，Ｓｂを個別に給紙させるように第１と第２の２つの給紙ローラ２４ａ，２４ｂを個別に設けている。
【００３３】
そして、上記のように２つの押上板２２ａ，２２ｂの上に積載された各用紙Ｓａ，Ｓｂを、上記の各給紙ローラ２４ａ，２４ｂにより給紙させて画像形成を行うにあたっては、図４に示すように、画像形成指示手段３０からそれぞれの用紙Ｓａ，Ｓｂに対して行う画像形成の枚数を給紙制御手段３１に出力し、このように出力された各用紙Ｓａ，Ｓｂに対して行う画像形成の枚数に基づき、上記の給紙制御手段３１により、上記の第１給紙ローラ２４ａを回転させる第１回転装置３２ａと、第２給紙ローラ２４ｂを回転させる第２回転装置３２ｂとを制御して、第１と第２の２つの給紙ローラ２４ａ，２４ｂによって上記の各用紙Ｓａ，Ｓｂを給紙させる給紙タイミングを制御するようにしている。
【００３４】
ここで、上記の画像形成指示手段３０によって指示された上記の用紙Ｓａと用紙Ｓｂとに対して行う画像形成枚数が異なる場合、例えば、用紙Ｓａに対して１５枚の画像形成を行う一方、用紙Ｓｂに対して１０枚の画像形成を行う場合には、上記の給紙制御手段３１により、第１回転装置３２ａを駆動させて第１給紙ローラ２４ａにより用紙Ｓａを給紙させる給紙タイミングよりも、第２回転装置３２ａを駆動させて第２給紙ローラ２４ｂによって用紙Ｓｂを給紙させる給紙タイミングを遅らせるようにする。
【００３５】
そして、上記のように画像形成枚数が１５枚と多い用紙Ｓａを第１給紙ローラ２４ａによって給紙させる給紙タイミングよりも、画像形成枚数が１０枚と少ない用紙Ｓｂを第２給紙ローラ２４ｂによって給紙させる給紙タイミングを遅らせるにあたっては、例えば、図５に示すように、各用紙Ｓａ，Ｓｂを最初に給紙させる１枚目の給紙タイミングを合わせると共に、画像形成枚数が多い用紙Ｓａを最後に給紙させる１５枚目の給紙タイミングと、画像形成枚数が少ない用紙Ｓｂを最後に給紙させる１０枚目の給紙タイミングとを合わせるようにして、画像形成枚数が少ない用紙Ｓｂの給紙タイミングを、画像形成枚数が多い用紙Ｓａの給紙タイミングに対して均等に遅くさせることができる。
【００３６】
このようにすると、画像形成枚数が１０枚と少ない用紙Ｓｂと画像形成枚数が１５枚と多い用紙Ｓａとにおける画像形成がほぼ同時に終了し、画像形成枚数が１５枚と多い用紙Ｓａだけが給紙されて画像形成が行われるのが防止され、上記のように定着装置１８に設けられた加熱ローラ１８ａと加圧ローラ１８ｂとの間において、用紙Ｓに転写されたトナー像を加熱定着させる場合に、用紙Ｓａが導かれない加熱ローラ１８ａの部分だけが過剰に加熱されるのが防止されるようになる。
【００３７】
また、上記のように画像形成枚数が１５枚と多い用紙Ｓａを第１給紙ローラ２４ａによって給紙させる給紙タイミングよりも、画像形成枚数が１０枚と少ない用紙Ｓｂを第２給紙ローラ２４ｂによって給紙させる給紙タイミングを遅らせるにあたり、図６に示すように、各用紙Ｓａ，Ｓｂを最初に給紙させる１枚目の給紙タイミングを合わせると共に、その後も、上記の用紙Ｓａを給紙させるタイミングと用紙Ｓｂを給紙させるタイミングとを合わせるようにする一方、画像形成枚数が１０枚と少ない用紙Ｓｂについては、適当な時期に画像形成枚数が１５枚と多い用紙Ｓａが給紙されても給紙されないようにして、画像形成枚数が多い用紙Ｓａを最後に給紙させる１５枚目の給紙タイミングと、画像形成枚数が少ない用紙Ｓｂを最後に給紙させる１０枚目の給紙タイミングとを合わせるようにすることもできる。
【００３８】
このようにした場合、上記の場合と同様に、画像形成枚数が１０枚と少ない用紙Ｓｂと画像形成枚数が１５枚と多い用紙Ｓａとにおける画像形成がほぼ同時に終了し、画像形成枚数が１５枚と多い用紙Ｓａだけが給紙されて画像形成が行われるのが防止され、上記のように定着装置１８に設けられた加熱ローラ１８ａと加圧ローラ１８ｂとの間において、用紙Ｓに転写されたトナー像を加熱定着させる場合に、用紙Ｓａが導かれない加熱ローラ１８ａの部分だけが過剰に加熱されるのが防止されるようになる。また、このようにした場合、画像形成枚数が１０枚と少ない用紙Ｓｂが、画像形成枚数が１５枚と多い用紙Ｓａと同時に給紙されて、上記の中間転写ベルト１４と二次転写ローラ１７との間に導かれるようになり、これらの用紙Ｓａ，Ｓｂにそれぞれ中間転写ベルト１４の上に形成されたトナー像が同時に転写されるようになり、各用紙Ｓａ，Ｓｂに対して画像形成を行う場合における制御が簡単に行えるようになる。
【００３９】
なお、この実施形態においては、給紙カセット２０内において、２つの押上板２２ａ，２２ｂの上に同じサイズになった２つの用紙Ｓａ，Ｓｂを並列に積載させるようにしたが、図７に示すように、２つの押上板２２ａ，２２ｂの上に並列に積載させる２つの用紙Ｓａ，Ｓｂのサイズを異ならせることもできる。
【００４０】
そして、このように２つの押上板２２ａ，２２ｂの上に並列に積載させる２つの用紙Ｓａ，Ｓｂのサイズを異ならせた場合には、上記のように画像形成指示手段３０から給紙制御手段３１に対して出力された各用紙Ｓａ，Ｓｂに対する画像形成枚数及び各用紙Ｓａ，Ｓｂのサイズに基づいて、上記の給紙制御手段３１により、上記の第１給紙ローラ２４ａを回転させる第１回転装置３２ａと、第２給紙ローラ２４ｂを回転させる第２回転装置３２ｂとを制御し、第１と第２の２つの給紙ローラ２４ａ，２４ｂによって上記の各用紙Ｓａ，Ｓｂを給紙させるタイミングを制御させるようにすることもできる。
【符号の説明】
【００４１】
１０  感光体ドラム
１１  帯電装置
１２  潜像形成装置
１３  現像装置
１４  中間転写ベルト
１４ａ  回転ローラ
１５  一次転写ローラ
１６  第１のクリーニング装置
１７  二次転写ローラ
１８  定着装置
１８ａ  加熱ローラ
１８ｂ  加圧ローラ
１９  第２のクリーニング装置
２０  給紙カセット
２１，２１ａ，２１ｂ  バネ
２２，２２ａ，２２ｂ  押上板
２３  ピックアップローラ
２４，２４ａ，２４ｂ  給紙ローラ
２５  捌きローラ
２６  サイド規制板
２７  後端規制ガイド
２８  タイミングローラ
３０  画像形成指示手段
３１  給紙制御手段
３２ａ  第１回転装置
３２ｂ  第２回転装置
Ｓ，Ｓａ，Ｓｂ  用紙
【図１】
2012173307.tif 000003
【図２】
2012173307.tif 000004
【図３】
2012173307.tif 000005
【図４】
2012173307.tif 000006
【図５】
2012173307.tif 000007
【図６】
2012173307.tif 000008
【図７】
2012173307.tif 000009